(57)【要約】      （修正有）【課題】背紙の差し替えが簡単であり、しかも、表表紙や裏表紙の外観が棄損されることがないようにした、従来にはないポケット付きファイルを実現する。【解決手段】ファイル本体１が背表紙１１、表表紙１２及び裏表紙１３から構成され、背ポケットが、背表紙１１に対応する位置に配置される本体部２１と、背表紙２１よりも幅広にして表表紙１１又は裏表紙１２に対応する位置に配置される幅広部２２、２３とを備える背ポケット付きファイルであり、背ポケット２の本体部２１から幅広部２２、２３に亘って背紙３を入れた状態でファイル本体１を外観したときに、本体部２１と幅広部２２が区別可能となるように構成した。【選択図】図２
2020121419.tif 000002
【特許請求の範囲】
【請求項１】
ファイル本体が背表紙、表表紙及び裏表紙から構成され、背ポケットが、前記背表紙に対応する位置に配置される本体部と、前記背表紙よりも幅広にして前記表表紙又は裏表紙に対応する位置に配置される幅広部とを備える背ポケット付きファイルであり、
前記背ポケットの本体部から幅広部に亘って背紙を入れた状態でファイル本体を外観したときに、前記本体部と前記幅広部が区別可能となるように構成したことを特徴とする、背ポケット付きファイル。
【請求項２】
請求項１において、前記本体部で前記背紙が透けて見え、前記幅広部は前記透けて見える背紙と異色又は別柄に見えるように構成している、背ポケット付きファイル。
【請求項３】
請求項２において、前記背ポケットの幅広部を前記背紙と異色又は別柄としている、背ポケット付きファイル。
【請求項４】
請求項２において、前記背ポケットの幅広部を透明とし、前記背紙の幅広部に相当する部分のみを異色又は別柄としている、背ポケット付きファイル。
【請求項５】
請求項１〜４の何れかにおいて、前記背ポケットの幅広部を、前記表表紙または前記裏表紙と同色又は同柄とする、背ポケット付きファイル。
【請求項６】
請求項１〜４の何れかにおいて、前記背ポケットを、標準規格の紙サイズを収容する大きさに設定している、背ポケット付きファイル。
【発明の詳細な説明】
【技術分野】
【０００１】
本発明は、背ポケットに対して見出しシート等の背紙を、ファイルの外観を棄損することなく簡単に差し替え可能な構造とした、背ポケット付きファイルに関する。
【背景技術】
【０００２】
従来、この種の背ポケット付きファイルとしては、表裏の表紙間に背表紙を備え、その背表紙の外面側に背ポケットを有したものが知られている。
【０００３】
例えば、特許文献１に示されるファイルは、表裏の表紙間に配された背表紙と、前記背表紙の外面側に設けられ見出しシートを挿入可能な背ポケットとを備え、前記背ポケットが、前記背表紙の外面に添設されたポケット用フィルムを有し、このポケット用フィルムの少なくとも左右両側縁部を前記背表紙の外面に溶着することによって構成されている。
【０００４】
或いは、他の文献（上記特許文献１中に先行技術文献として挙げられている文献（特開２００４−１７５０４５号公報））などは、前記背表紙の全体を覆い、左右両側部が表表紙及び裏表紙の領域に僅かに入り込むような横幅のフィルムを用い、そのフィルムの左右両側縁部を前記表表紙、及び、前記裏表紙の基端部に溶着することによって構成されている。
【０００５】
このようにして、背ポケットは背表紙に対してやや幅狭ないし、ほぼ同幅に設けられ、この背ポケットに、背表紙よりもやや幅狭ないし、ほぼ同幅の背紙を差し込んで、見出し等として利用している。
【先行技術文献】
【特許文献】
【０００６】
【特許文献１】特開２０１７−１００３７３号公報
【発明の概要】
【発明が解決しようとする課題】
【０００７】
しかしながら、このような構造であると、例えば年に１回、期限が到来して内容物や見出し、日付等の更新に付されるファイルについては、背紙を廃棄し、新しい背紙に移し替える必要があるが、その際に、新たに背表紙の大きさの背紙を作成するのは大変である。このような作業は、毎年発生し、ファイル数に応じて増大する。勿論、このような状況はファイルの使途が変わるとき等にも随時発生する。
【０００８】
そこで、図８（ａ）に示すように背ポケット２Ｐを、ファイル本体の背表紙１１Ｐに対応する位置に配置される本体部２１Ｐと、背表紙１１Ｐよりも幅広にした幅広部２２Ｐ、２３Ｐとを備えるように、従来よりも幅広に構成して、Ａ４等の規格サイズの背紙３Ｐをそのまま挿入できるようにすることが、対応策として考えられる。
【０００９】
しかしながら、これだと背紙３Ｐが少なからず表表紙１２Ｐや裏表紙１３Ｐに回り込むため、図８（ｂ）に示すように、本来の表表紙１２Ｐや裏表紙１３Ｐの色や柄が背表紙３Ｐで塞がれ、表表紙１２Ｐや裏表紙１３Ｐの外観、ひいてはファイルの外観が著しく棄損される不都合を招来することになる。
【００１０】
本発明は、このような課題に着目してなされたものであって、背紙の差し替えが簡単であり、しかも、表表紙や裏表紙の外観が棄損されることがないようにした、従来にはないポケット付きファイルを実現することを目的としている。
【課題を解決するための手段】
【００１１】
本発明は、かかる目的を達成するために、次のような手段を講じたものである。
【００１２】
すなわち、本発明のポケット付きファイルは、ファイル本体が背表紙、表表紙及び裏表紙から構成され、背ポケットが、前記背表紙に対応する部分に配置される本体部と、前記背表紙よりも幅広にして前記表表紙又は裏表紙に対応する部分に配置される幅広部とを備える背ポケット付きファイルであり、前記背ポケットの本体部から幅広部に亘って背紙を入れた状態でファイル本体を外観したときに、前記本体部と前記幅広部が区別可能となるように構成したことを特徴とする。
【００１３】
ここで、区別可能とは、背ポケットの本体部の外観と幅広部の外観を異なる見え掛かりにできることを意味し、本体部の外観を基準にすれば、幅広部の外観を本体部の外観に対して区別できるように構成できることを意味する。
【００１４】
このため、背紙を幅広することにより背紙が表表紙や裏表紙に回り込んでも、あたかも背表紙の部分だけに背紙を挿入したような見え掛かりにでき、表表紙や裏表紙の外観、ひいてはファイルの外観の棄損を防止し、更には積極的に背表紙とは異なる意匠を付与する手立てを講じることができる。
【００１５】
ここでの区別は、背紙自体の地色や地柄等の本質部分を問題にし、背紙にファイルの内容物を表示するために描かれている文字や図形、記号等の識別部分は問題にしない。
【００１６】
この場合、前記本体部で前記背紙が透けて見え、前記幅広部は前記透けて見える背紙と異色又は別柄に見えるように構成することが望ましい。
【００１７】
このようにすれば、本体部は背紙が透けて見える本来の機能を発揮し、幅広部は背紙と異色又は別柄にできるため、表表紙や裏表紙にふさわしい色や柄を施す自由度が得られる。異色には、色相、明度、彩度の違いのほか、透明と不透明・半透明といった違い含まれる。柄の違いには、柄有りと無地といった違いも含まれる。
【００１８】
具体的な態様としては、前記背ポケットの幅広部を前記背紙と異色又は別柄としている態様が挙げられる。
【００１９】
このようにすれば、背ポケット自体が色や柄を区別する機能を備えるので、背紙がたとえ単調なものであっても、背ポケットに入れることによって、幅広部を、背紙と異色又は別柄に見えるようにすることができる。
【００２０】
また、具体的な他の態様としては、前記背ポケットの幅広部を透明とし、前記背紙の幅広部に相当する部分のみを異色又は別柄とする態様が挙げられる。
【００２１】
このようにすれば、背紙自体が色や柄を区別する機能を備えるので、背ポケットがたとえ本体部から幅広部に亘って透明なものであっても、背紙を入れることによって幅広部を、表背紙と異色又は別柄に見えるようにすることができる。
【００２２】
以上において、前記背ポケットの幅広部を、前記表表紙または前記裏表紙と同色又は同柄とすれば、表表紙や裏表紙に回り込んだ幅広部が、表表紙や裏表紙と同化して、連続した表紙のような見え掛かりを呈することになる。
【００２３】
また、以上において、前記背ポケットを、標準規格の紙サイズを収容する大きさに設定すれば、市販の用紙を採用し、印刷してそのままタイトルラベルとして用いることができる。
【発明の効果】
【００２４】
以上説明したように本発明によれば、背紙の差し替えが簡単であり、しかも、表表紙や裏表紙の外観が棄損されることがない、新規有用なポケット付きファイルを提供することが可能となる。
【図面の簡単な説明】
【００２５】
【図１】本発明の一実施形態を示す背ポケット付きファイル。
【図２】図１の分解斜視図。
【図３】同実施形態のファイル本体と背ポケットの関係を示す図。
【図４】同実施形態において背ポケットに背紙を挿入する様子を示す図。
【図５】同実施形態において背ポケットから背紙を取り出す様子を示す図。
【図６】本発明の変形例を示す図２に対応する図。
【図７】同変形例の図３に対応する図。
【図８】本発明の比較例を示す図４及び図７に対応する図。
【発明を実施するための形態】
【００２６】
以下、本発明の一実施形態を、図１〜図５を参照して説明する。
【００２７】
この実施形態の背ポケット付きファイルは、図１及び図２に示すように、ファイル本体１と、背ポケット２と、背紙３とを備えて構成される。
【００２８】
ファイル本体１は、背表紙１１と、この背表紙１１に隣接する表表紙１２及び裏表紙１３とを備え、背表紙１１と、表表紙１２又は裏表紙１３との間がヒンジ部１４によって開閉可能に接続されている。これら背表紙１１、表表紙１２、裏表紙１３は、芯材の表面を合成樹脂製の外装材で被覆して構成されている。背表紙１１、表表紙１２及び裏表紙１３の外装材には、種々の色彩や柄を付与することが可能である。
【００２９】
背ポケット２には、全体が透明なポケット用のフィルムＦが用いられている。フィルムＦには、ポリエチレンや塩ビ等、適宜の素材が使用される。背ポケット２は、背表紙１１に対応する位置に配置される本体部２１と、背表紙１１よりも幅広にして表表紙１１又は裏表紙１２に対応する位置に配置される幅広部２２、２３とを備え、展開状態で図３及び図４等に示すように矩形状をなしている。そして、図３（ａ）〜（ｂ）に示すように、幅広部２２、２３の端縁２２ａ、２３ａ近傍が、表表紙１２および裏表紙１３の外面に溶着部２２ａ１、２３ａ１を介して溶着されている。図１に示すように、幅広部２２の端縁２２ａ近くの下縁２２ｂにも、表表紙１２の外面に溶着部２２ｂ１を介して溶着されており、幅広部２３の端縁２３近くの下縁にも図示しないが同様の処理が施されている。これらの溶着部２２ｂ等は背紙３から下から脱落することを防止のためのものである。
【００３０】
この実施形態のファイル本体１は、標準規格の用紙サイズであるＡ４サイズを所要量収容するのに適した形態となるように、図２に示すように背表紙１１、表表紙１２及び裏表紙１３の縦寸法ｈ１はＡ４サイズよりも若干大きい縦寸法に設定され、表表紙１２及び裏表紙１３の横寸法Ｗ１１はＡ４サイズよりも若干大きい横寸法に設定され、背幅寸法Ｗ１２はＡ４サイズの用紙の必要な綴じ込み量に対応する寸法に設定されている。そして、背ポケット２にも、ファイル本体１に対応する形状、具体的には、ファイル本体１に収容される用紙サイズと同じ用紙サイズの背紙３（縦寸法ｈ２、横寸法Ｗ２）を収容することができるように、縦寸法ｈ３および横寸法Ｗ３を、溶着しろを考慮して、背紙３の縦寸法ｈ２および横寸法Ｗ２よりも若干大きく設定し、溶着部２２ａ１、２２ｂ１の内側にＡ４サイズの背紙３をピッタリ収納できるパッチポケットを形成している。
【００３１】
そしてこの背ポケット２は、本体部２１を透明とし、幅広部２２、２３を着色して構成している。図においてハッチングに付した符合ＨＴ３は幅広部２２、２３の着色を表しており、本体部２１の符合Ｓ３は透明を表している。具体的な構成としては、透明の本体部２１と着色された幅広部２２とを溶着して使用している。勿論、二色成形等によって構成することもできる。
【００３２】
一方、ファイル本体１の表表紙１１等のハッチングに付した符合ＨＴ１は、もともとファイル本体１に付している着色を示しており、背ポケット２の着色ＨＴ３はこのファイル本体１の着色ＨＴ１と同色とされている。ファイル本体１の背表紙１１については、ここでは背紙３を挿入することによる色の棄損が問題にならないため、図面上はハッチング等を施していないが、これ着色が無いことを積極的に意味するものではない。すなわち、この背表紙１１も表表紙１２や裏表紙１３と同色にしてもよいし、背表紙１１には白色など他の着色を施してもよい。
【００３３】
ここでは、背紙３に図１に示すような「見積書」といった見出しを印刷してタイトルラベルを構成し、背ポケット２に挿入する場合を考える。
【００３４】
ファイル本体１の表表紙１２及び裏表紙１３を図１のように背表紙１１側に折り畳んでいるときは、背ポケット用フィルムＦは背表紙１１、表表紙１２及び裏表紙１３に密着して、背ポケット２を上方に十分に開口させることは難しい。そこで、背紙３を挿入する際は、表表紙１２及び裏表紙１３を図３（ｂ）、図４（ａ）に示すように背表紙１１に対して見開いた状態にし、各表紙１１、１２、１３とフィルムＦとの密着が若干緩んだ状態で、背紙３を挿脱する。
【００３５】
図４（ａ）〜（ｂ）に示すように背紙３を上方から挿入すると、背紙３のうち背表紙対応部３１は背ポケット２のうち透明な本体部２１に挿入されるため、外部から本体部２１を介して視認可能である。これに対して、背紙３のうち表表紙対応部３２及び裏表紙対応部３３は、背ポケット２のうち着色された幅広部２２、２３の下に挿入されて隠れるため、外部から視認できず、外部から視認できるのはその幅広部２２、２３に施した色のみとなる。
【００３６】
すなわち、幅広部３２、３３が本体部３１と同様に透明であれば背紙３が外部から視認可能となるところ、この実施形態では幅広部３２、３３が背紙３の色を遮り、かつファイル本体１の表表紙１２および裏表紙１３と同色とされている。このため、図４（ｂ）の状態から完全に背紙３を挿入すると、背紙３のうち表表紙１２や裏表紙１３に回り込んだ部位は背ポケット３の幅広部２２、２３に遮断されて、当該幅広部２２、２３は表表紙１２および裏表紙１３と同色の連続した面を構成することになる。
【００３７】
背紙３を抜きとるときは、図５の状態もしくはそこからファイル本体１を見開いた状態に展開して、背紙３を背ポケット２から上方に抜きとり、次の背紙３を挿入すれば、上記と同様にしてファイル本体１の表表紙１２や裏表紙１３の見え掛かりを棄損することなく、簡単に見出し等の更新を行うことができる。
【００３８】
なお、図２に示す背表紙１１の内面側には、綴じ具が配置されることがある。綴じ具には、パイプ型、リング型など、種々の形式があるが、綴じ具の構成要素の一部が背表紙１１にリベット等で固定される場合は、背表紙１１の外面にリベットが露出するため、背紙３はこのリベットを隠す役割も兼ねることになる。
【００３９】
以上のように、本実施形態のポケット付きファイルは、ファイル本体１が背表紙１１、表表紙１２及び裏表紙１３から構成され、背ポケット２が、背表紙１１に対応する位置に配置される本体部２１と、背表紙２１よりも幅広にして表表紙１１又は裏表紙１２に対応する位置に配置される幅広部２２、２３とを備える背ポケット付きファイルであり、背ポケット２の本体部２１から幅広部２２、２３に亘って背紙３を入れた状態でファイル本体１を外観したときに、本体部２１と幅広部２２が区別可能となるように構成したものである。
【００４０】
このように、背ポケット２を、従来の背表紙サイズではなく、表・裏表紙側にも範囲を広げているため、採用する背紙３のサイズに自由度が得られる。しかも、背紙３を幅広することで背紙３が表表紙１２や裏表紙１３に回り込んでも、あたかも背表紙１１の部分だけに背紙３を挿入したような見え掛かりにすることができるので、表表紙１２や裏表紙１３の外観、ひいてはファイルの外観の棄損を防止し、更には積極的に背表紙１１や裏表紙１２、１３と異なる意匠を幅広部２２、２３に施すなど、種々の手立てを講じることができる。
【００４１】
この場合、背ポケット２の本体部２１で背紙３が透けて見え、幅広部２２、２３は透けて見える背紙３と異色に見えるように構成しているので、本体部２１は背紙３が透けて見える本来の機能を発揮し、幅広部２２、２３は表表紙１２や裏表紙１３に被せるにあたって、最も好ましい色や柄を施す自由度が得られる。
【００４２】
具体的には、背ポケット２の幅広部２２、２３を背紙３と異色にしており、背ポケット２自体が本体部２１と幅広部２２、２３の色を区別する機能を備えるようにしているので、背紙３がたとえ単調であっても、背ポケット２に入れることによって、幅広部２２、２３を、背紙３と異色に見えるようにすることができる。
【００４３】
特に背紙２の幅広部２２、２３を、表表紙１２または裏表紙１３と同色としているので、表表紙１２や裏表紙１３に回り込んだ幅広部２２、２３が表表紙１２や裏表紙１３と同化して、連続した表紙のような見え掛かりを呈することになる。
【００４４】
また背ポケット３を、標準規格の紙サイズを収容する大きさ（この実施形態ではＡ４サイズ）に設定しているので、市販の用紙を採用し、印刷して、サイズカット等をすることなく、そのままタイトルラベルとして用いることができる。
【００４５】
なお、各部の具体的構成についても上記実施形態に限られるものではない。
【００４６】
例えば、上記実施形態で「色」として説明していたところは、全て「柄」に置換しても、上記実施形態と同様の基本的機能を奏することができる。
【００４７】
また、例えば図６、図７に示すように、背ポケット１０２の幅広部１２２、１２３を本体部１２１とともに透明にして、これをファイル本体１の表表紙１２、裏表紙１３、背表紙１１に対応する位置に取り付け、背紙１０３の表表紙対応部１３２及び裏表紙対応部１３３を背表紙対応部１３１とは異色、具体的には表表紙１２や裏表紙１３と同色としてもよい。
【００４８】
このようにすれば、背紙１０３自体が色や柄を区別する機能を備えるので、背ポケット３のフィルムがたとえ本体部１２１から幅広部１２２、１２３に亘って透明なものであっても、背紙１０３を入れることによって幅広部１２３を、背紙１０３と異色又は別柄に見えるようにすることができる。
【００４９】
また、以上において背ポケットは、本体部の全体が透明で無くても良い。例えば、背見出し機能を発揮できるように、一部分だけ透明にしても良い。
【００５０】
さらに、上記実施形態で背ポケットはファイル本体と略同じ縦寸法にしているが、例えばファイル本体がＡ４サイズ対応であるのに対して、背ポケットはＢ５等の他の規格サイズの用紙をそのまま使えるように構成しても勿論構わない。
【００５１】
その他の構成も、本発明の趣旨を逸脱しない範囲で種々変形が可能である。
【符号の説明】
【００５２】
１…ファイル本体１
１１…背表紙
１２…表表紙
１３…裏表紙
２、１０２…背ポケット
２１、１２１…本体部
２２、１２２…幅広部
２３、１２３…幅広部
３…背紙
【図１】
2020121419.tif 000003
【図２】
2020121419.tif 000004
【図３】
2020121419.tif 000005
【図４】
2020121419.tif 000006
【図５】
2020121419.tif 000007
【図６】
2020121419.tif 000008
【図７】
2020121419.tif 000009
【図８】
2020121419.tif 000010